(57)【要約】  動画や音楽などを再生しながら他の作業を行う場合に、アクティブウィンドウの切り替えに応じて出力音の音量設定値を自動的に変更してユーザの手間を軽減する。マルチウィンドウシステムが動作する電子装置が、アクティブウィンドウの切り替わりを検出し、前記アクティブウィンドウの切り替わりが、音出力ウィンドウから他のウィンドウへの切り替わりである場合に、前記音出力ウィンドウの処理による出力音の音量設定値を変更する。
2009081478.tif 000002
【特許請求の範囲】
【請求項１】
マルチウィンドウシステムが動作する電子装置において、
アクティブウィンドウの切り替わりを検出する検出手段と、
前記アクティブウィンドウの切り替わりが、音を出力する処理のためのユーザインタフェースである音出力ウィンドウから他のウィンドウへの切り替わりである場合に、前記音出力ウィンドウの処理による出力音の音量設定値を変更する音量制御手段と、
を有することを特徴とする電子装置。
【請求項２】
前記音量制御手段は、前記音出力ウィンドウの処理による出力音の音量設定値をアクティブウィンドウ状態のものから小音量に変更する、ことを特徴とする請求項１記載の電子装置。
【請求項３】
前記音量制御手段は、前記音出力ウィンドウの処理による出力音の音量設定値をアクティブウィンドウ状態時の音量設定値を所定割合で下げた音量設定値に変更する、ことを特徴とする請求項２記載の電子装置。
【請求項４】
前記音量制御手段は、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定する、ことを特徴とする請求項１記載の電子装置。
【請求項５】
アクティブウィンドウ状態用の音量設定値である第１値と、非アクティブウィンドウ状態用の音量設定値である第２値とを格納した格納手段を有し、
前記音量制御手段は、前記アクティブウィンドウの切り替わりによって、前記音出力ウィンドウの処理による出力音の音量設定値を前記第１値から前記第２値に変更する、ことを特徴とする請求項１記載の電子装置。
【請求項６】
前記第１値をユーザが変更可能とする第１ユーザインタフェースを有する、ことを特徴とする請求項５記載の電子装置。
【請求項７】
前記第２値をユーザが変更可能とする第２ユーザインタフェースを有する、ことを特徴とする請求項５または６記載の電子装置。
【請求項８】
前記アクティブウィンドウの切り替わりが、音出力ウィンドウから他のウィンドウへの切り替わりである場合に、前記音出力ウィンドウを現在のサイズから小サイズのウィンドウに変更する表示制御手段を有する、ことを特徴とする請求項１記載の電子装置。
【請求項９】
前記音出力ウィンドウは受信放送を出力するものである、ことを特徴とする項１記載の電子装置。
【請求項１０】
前記音を出力する処理が動画の表示に伴う処理であり、前記音出力ウィンドウが動画表示ウィンドウである、ことを特徴とする請求項１から９の何れかに記載の電子装置。
【請求項１１】
マルチウィンドウシステムが動作する電子装置で実行される制御方法において、
アクティブウィンドウの切り替わりを検出する検出ステップと、
前記アクティブウィンドウの切り替わりが、音出力ウィンドウから他のウィンドウへの切り替わりである場合に、前記音出力ウィンドウの処理による出力音の音量設定値を変更する音量制御ステップと、
を有することを特徴とする制御方法。
【請求項１２】
前記音量制御ステップは、前記音出力ウィンドウの処理による出力音の音量設定値をアクティブウィンドウ状態のものから小音量に変更する、ことを特徴とする請求項１１記載の制御方法。
【請求項１３】
前記音量制御ステップは、前記音出力ウィンドウの処理による出力音の音量設定値をアクティブウィンドウ状態時の音量設定値を所定割合で下げた音量設定値に変更する、ことを特徴とする請求項１２記載の制御方法。
【請求項１４】
前記音量制御ステップは、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定する、ことを特徴とする請求項１１記載の制御方法。
【請求項１５】
アクティブウィンドウ状態用の音量設定値である第１値と、非アクティブウィンドウ状態用の音量設定値である第２値とを格納手段に格納する格納ステップを有し、
前記音量制御ステップは、前記アクティブウィンドウの切り替わりによって、前記音出力ウィンドウの処理による出力音の音量設定値を前記第１値から前記第２値に変更する、ことを特徴とする請求項１１記載の制御方法。
【請求項１６】
第１ユーザインタフェースによるユーザ変更操作に基づき前記第１値を変更する第１変更ステップを有する、ことを特徴とする項１５記載の制御方法。
【請求項１７】
第２ユーザインタフェースによるユーザ変更操作に基づき前記第２値を変更する第２変更ステップを有する、ことを特徴とする請求項１５または１６記載の制御方法。
【請求項１８】
前記アクティブウィンドウの切り替わりが、音出力ウィンドウから他のウィンドウへの切り替わりである場合に、前記音出力ウィンドウを現在のサイズから小サイズのウィンドウに変更する表示制御ステップを有する、ことを特徴とする項１１記載の制御方法。
【請求項１９】
前記音出力ウィンドウは受信放送を出力するものである、ことを特徴とする項１１記載の制御方法。
【請求項２０】
前記音を出力する処理が動画の表示に伴う処理であり、前記音出力ウィンドウが動画表示ウィンドウである、ことを特徴とする請求項１１から１９の何れかに記載の制御方法。
【請求項２１】
マルチウィンドウシステムが動作する電子装置で実行されるプログラムにおいて、該電子装置に、
アクティブウィンドウの切り替わりを検出する検出ステップと、
前記アクティブウィンドウの切り替わりが、音出力ウィンドウから他のウィンドウへの切り替わりである場合に、前記音出力ウィンドウの処理による出力音の音量設定値を変更する音量制御ステップと、
を実行させることを特徴とするプログラム。
【請求項２２】
前記音量制御ステップは、前記音出力ウィンドウの処理による出力音の音量設定値をアクティブウィンドウ状態のものから小音量に変更する、ことを特徴とする請求項２１記載のプログラム。
【請求項２３】
前記音量制御ステップは、前記音出力ウィンドウの処理による出力音の音量設定値をアクティブウィンドウ状態時の音量設定値を所定割合で下げた音量設定値に変更する、ことを特徴とする請求項２２記載のプログラム。
【請求項２４】
前記音量制御ステップは、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定する、ことを特徴とする請求項２１記載のプログラム。
【請求項２５】
アクティブウィンドウ状態用の音量設定値である第１値と、非アクティブウィンドウ状態用の音量設定値である第２値とを格納した格納ステップを有し、
前記音量制御ステップは、前記アクティブウィンドウの切り替わりによって、前記音出力ウィンドウの処理による出力音の音量設定値を前記第１値から前記第２値に変更する、ことを特徴とする請求項２１記載のプログラム。
【請求項２６】
第１ユーザインタフェースによるユーザ変更操作に基づき前記第１値を変更する第１変更ステップを有する、ことを特徴とする請求項２５記載のプログラム。
【請求項２７】
第２ユーザインタフェースによるユーザ変更操作に基づき前記第２値を変更する第２変更ステップを有する、ことを特徴とする請求項２５または２６記載のプログラム。
【請求項２８】
前記アクティブウィンドウの切り替わりが、音出力ウィンドウから他のウィンドウへの切り替わりである場合に、前記音出力ウィンドウを現在のサイズから小サイズのウィンドウに変更する表示制御ステップを有する、ことを特徴とする請求項２１記載のプログラム。
【請求項２９】
前記プログラムは前記音出力ウィンドウで動作する受信放送出力用プログラムである、ことを特徴とする請求項２１記載のプログラム。
【発明の詳細な説明】
【技術分野】
【０００１】
本発明は、マルチウィンドウシステムにおいて動画表示を行う技術に関する。
【背景技術】
【０００２】
従来、表示画面上に複数のウィンドウを同時に表示できるようにしたソフトウェアシステム、即ちマルチウィンドウシステムを採用した電子装置（コンピュータ等）が広く利用されている。【０００３】
このマルチウィンドウシステムが動作する電子装置であれば、複数のプログラムを同時に実行し、それらプログラムによる表示を夫々のウィンドウに表示できる。例えば、テレビ番組等の動画を視聴しながら或は音楽を聴きながら、他の機能（文書作成やメールチェック等）を主として使用することができる。【０００４】
ユーザは、マウスなどのポインティングデバイスで、これらのウィンドウを選択的に切り替えることによって、利用するアプリケーションを選択する。【０００５】
このように動画の音声や音楽を出力させながら他の作業を行う場合、出力音の音量は、ＢＧＭのように小さめの音量とするのが好ましい。即ち、動画の音声や音楽を出力させながら他の作業を行う場合、その動画の音声や音楽を観賞する場合と比べて小音量としたい。【０００６】
このため、動画の音声や音楽を聞きながら他の作業を行う場合には、その都度ユーザが動画再生音を小さくする操作を行っていた。【０００７】
また、本願発明に関連する先行技術として、例えば、下記の特許文献に開示される技術がある。
【特許文献１】特開平７−４９７６３号公報
【特許文献２】特開平７−４４３４８号公報
【発明の開示】
【発明が解決しようとする課題】
【０００８】
上述のように、動画の音声や音楽を聞きながら他の作業を行う場合に音量を抑えるにはユーザの操作が必要であり、手間がかかるという問題がある。また、ユーザが、他のウィンドウの処理を終えた場合や、途中で該動画や音楽に興味を惹かれてじっくり観賞したいと思った場合、音量が小さいままでは聞き難いため、音量を通常の大きさに戻す操作を行う。そして、また、主たる作業に戻るため、他のウィンドウへ切り替える際には、音量を小さくする、というように、頻繁に音量を変更する操作を繰り返すことになり、非常に煩わしいという問題があった。【０００９】
そこで、ウィンドウの切り替えに応じて出力音の音量設定値を自動的に変更してユーザの手間を軽減する技術を提供する。
【課題を解決するための手段】
【００１０】
上記課題を解決するため、電子装置、処理方法及びプログラムは、以下の構成を採用した。
即ち、電子装置は、マルチウィンドウシステムが動作し、
アクティブウィンドウの切り替わりを検出する検出手段と、
前記アクティブウィンドウの切り替わりが、音を出力する処理のためのユーザインタフェースである音出力ウィンドウから他のウィンドウへの切り替わりである場合に、前記音出力ウィンドウの処理による出力音の音量設定値を変更する音量制御手段と、を有する。【００１１】
前記音量制御手段は、前記音出力ウィンドウの処理による出力音の音量設定値をアクティブウィンドウ状態のものから小音量に変更しても良い。【００１２】
前記音量制御手段は、前記音出力ウィンドウの処理による出力音の音量設定値をアクティブウィンドウ状態時の音量設定値を所定割合で下げた音量設定値に変更しても良い。【００１３】
前記音量制御手段は、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定しても良い。【００１４】
前記電子装置は、アクティブウィンドウ状態用の音量設定値である第１値と、非アクティブウィンドウ状態用の音量設定値である第２値とを格納した格納手段を有し、前記音量制御手段が、前記アクティブウィンドウの切り替わりによって、前記音出力ウィンドウの処理による出力音の音量設定値を前記第１値から前記第２値に変更しても良い。【００１５】
前記電子装置は、前記第１値をユーザが変更可能とする第１ユーザインタフェースを有しても良い。【００１６】
前記電子装置は、前記第２値をユーザが変更可能とする第２ユーザインタフェースを有しても良い。【００１７】
前記電子装置は、前記アクティブウィンドウの切り替わりが、音出力ウィンドウから他のウィンドウへの切り替わりである場合に、前記音出力ウィンドウを現在のサイズから小サイズのウィンドウに変更する表示制御手段を有しても良い。【００１８】
前記電子装置において、前記音出力ウィンドウは受信放送を出力するものであっても良い。【００１９】
前記音を出力する処理が動画の表示に伴う処理であり、前記音出力ウィンドウが動画表示ウィンドウである、ことを特徴とする請求項１から９の何れかに記載の電子装置。【００２０】
また、制御方法は、マルチウィンドウシステムが動作する電子装置で実行され、
アクティブウィンドウの切り替わりを検出する検出ステップと、
前記アクティブウィンドウの切り替わりが、音出力ウィンドウから他のウィンドウへの切り替わりである場合に、前記音出力ウィンドウの処理による出力音の音量設定値を変更する音量制御ステップと、を有する。【００２１】
前記音量制御ステップは、前記音出力ウィンドウの処理による出力音の音量設定値をアクティブウィンドウ状態のものから小音量に変更しても良い。【００２２】
前記音量制御ステップは、前記音出力ウィンドウの処理による出力音の音量設定値をアクティブウィンドウ状態時の音量設定値を所定割合で下げた音量設定値に変更しても良い。【００２３】
前記音量制御ステップは、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定しても良い。【００２４】
前記制御方法は、アクティブウィンドウ状態用の音量設定値である第１値と、非アクティブウィンドウ状態用の音量設定値である第２値とを格納手段に格納する格納ステップを有し、
前記音量制御ステップは、前記アクティブウィンドウの切り替わりによって、前記音出力ウィンドウの処理による出力音の音量設定値を前記第１値から前記第２値に変更しても良い。【００２５】
前記制御方法は、第１ユーザインタフェースによるユーザ変更操作に基づき前記第１値を変更する第１変更ステップを有しても良い。【００２６】
前記制御方法は、第２ユーザインタフェースによるユーザ変更操作に基づき前記第２値を変更する第２変更ステップを有しても良い。【００２７】
前記制御方法は、前記アクティブウィンドウの切り替わりが、音出力ウィンドウから他のウィンドウへの切り替わりである場合に、前記音出力ウィンドウを現在のサイズから小サイズのウィンドウに変更する表示制御ステップを有しても良い。【００２８】
前記音出力ウィンドウは受信放送を出力するものであっても良い。【００２９】
前記制御方法は、前記音を出力する処理が動画の表示に伴う処理であり、前記音出力ウィンドウが動画表示ウィンドウであっても良い。
また、プログラムは、上記制御方法を電子装置に実行させる。【００３０】
なお、本発明は、このプログラムを電子装置又はコンピュータが読み取り可能な記録媒体に記録したものであっても良い。電子装置又はコンピュータに、この記録媒体のプログラムを読み込ませて実行させることにより、その機能を提供させることができる。【００３１】
ここで、電子装置又はコンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
また、電子装置又はコンピュータに固定された記録媒体としてハードディスクやＲＯＭ（リードオンリーメモリ）等がある。
【発明の効果】
【００３２】
ウィンドウの切り替えに応じて出力音の音量設定値を自動的に変更してユーザの手間を軽減する技術を提供できる。
【図面の簡単な説明】
【００３３】
【図１】実施形態に係る電子装置の機能ブロック図
【図２】電子装置としてのパーソナルコンピュータの概略図
【図３】コントローラＢ１を示す図
【図４】実施形態１に係る制御方法の説明図
【図５】動画再生音の音量及び設定値を更新する処理の説明図
【図６】制御方法の変形例を示す図
【図７】音量の設定値を設定するユーザインタフェースの説明図
【図８】制御方法の変形例を示す図
【図９】実施形態２の制御方法の説明図
【図１０】制御方法によって切り替わるウィンドウの状態を説明した図
【図１１】制御方法によって切り替わるウィンドウの状態を説明した図
【図１２】制御方法の変形例を示す図
【図１３】ウィンドウサイズの設定手順の説明図
【図１４】動画表示ウィンドウを小サイズに変更する場合の説明図
【図１５】動画表示ウィンドウを小サイズに変更する場合の説明図
【発明を実施するための最良の形態】
【００３４】
以下、図面を参照して本発明を実施するための最良の形態について説明する。以下の実施の形態の構成は例示であり、本発明は実施の形態の構成に限定されない。【００３５】
〈実施形態１〉
図１は、本実施形態に係る電子装置の機能ブロック図である。本例の電子装置１０は、ウィンドウの切り替えに応じて出力音の音量設定値を自動的に変更する。なお、本実施形態では、出力音としてテレビやＤＶＤ等の動画の音声（以下単に動画再生音と称す）の例を示したが、これに限らず音楽やラジオなど音として出力されるものであれば良い。
電子装置１０は、複数の処理を同時に実行可能な処理部１１と、該処理結果を表示する表示部１２と、ユーザによる操作の情報を処理部等に入力する操作入力部（ユーザインタフェース）１３、アクティブウィンドウの切り替わりを検出するウィンドウ状態検出部（検出手段）１４、テレビ番組等の動画情報を受信する受信部１５、表示部１２に表示させるウィンドウ等の制御を行う表示制御部（表示制御手段）１６、処理部等で用いるプログラムやデータを記憶（格納）する記憶装置（格納手段）１７、動画再生部２１、スピーカ２２、音量制御部２３を備えている。【００３６】
前記処理部１１は、動画の表示や文書作成、メールの送受信といった種々の処理を複数同時に実行し、これらの処理結果を夫々のウィンドウで表示させる所謂マルチウィンドウシステムの動作が可能である。【００３７】
操作入力部１３は、キーボードやポインティングデバイスといったユーザが操作対象のウィンドウを選択して入力を行う選択入力部１３Ａと、ユーザの操作に応じて特定の機能に対する入力を行うリモコンやボリューム、ファンクションキー（ソフトキー・ショートカットキー等）といった特定入力部１３Ｂを有している。【００３８】
ウィンドウ状態検出部１４は、所謂メディアプレイヤーのように音を出力する処理のためのユーザインタフェースである音出力ウィンドウが、アクティブに切り替わったか、非アクティブに切り替わったかを検出する。なお、本例では特に動画を表示するウィンドウ（以下単に動画表示ウィンドウとも称す）が、アクティブに切り替わったか、非アクティブに切り替わったかを検出する。即ち、ユーザが選択入力部１３Ａで動画表示ウィンドウを選択した状態から他のウィンドウを選択した状態に切り替えた場合、ウィンドウ状態検出部１４は、動画表示ウィンドウのアクティブから非アクティブへの切り替わりを検出する。一方、ユーザが選択入力部１３Ａで他のウィンドウを選択した状態から動画表示ウィンドウを選択した場合、ウィンドウ状態検出部１４は、動画表示ウィンドウの非アクティブからアクティブへの切り替わりを検出する。【００３９】
受信部１５は、放送局からの放送を受信して動画情報を得る所謂チューナである。また、受信部１５は、ケーブルを介して動画情報を受信するセットトップボックスや、インターネットなどのネットワークを介して動画情報を受信するための通信制御部（所謂ネットワークカード）であっても良い。【００４０】
動画再生部２１は、受信部１５で受信した動画情報や記憶装置１７に記憶されている動画情報をデコード処理等により、表示可能な形式の映像信号と音声信号を生成し、映像信号を表示制御部１６に送り表示部１２に表示させると共に、音信号をスピーカ２２に送って音（動画再生音）を出力させる。【００４１】
音量制御部２３は、ＯＳのマスタボリュームの変更や、動画・音楽等の出力音の設定値の変更等に応じて前記動画再生部２１による動画再生音の音量を変更する。特に本実施形態の音量制御部２３は、前記アクティブウィンドウの切り替わりが、音を出力する処理のためのユーザインタフェースである音出力ウィンドウから他のウィンドウへの切り替わりである場合に、前記音出力ウィンドウの処理による出力音の音量設定値を変更する。【００４２】
電子装置１０は、上記各部を専用の電子回路（ハードウェア）で構成しても良いし、汎用のコンピュータにプログラムを動作させて上記各部の少なくとも一部をソフトウェア的に実現したものでも良い。【００４３】
図２は、本実施形態の電子装置としてのパーソナルコンピュータの概略図である。【００４４】
コンピュータ１０は、ＣＰＵ（制御部）１１、表示部（本例ではＬＣＤ）１２、操作入力部１３、メインメモリ１４、受信部１５、記憶部１７、ＴＶチューナ１８、ネットワークデバイス１９、ＤＶＤドライブ２０を備えた汎用のコンピュータ（情報処理装置）である。【００４５】
記憶部１７は、オペレーティングシステム（ＯＳ）やアプリケーションソフト（制御プログラム等）がインストールされた記憶装置（本例ではハードディスク）である。本実施形態の制御プログラムは、動画再生プログラム（テレビジョン再生アプリケーション２８Ａ、ＤＶＤ動画再生アプリケーション２８Ｂ、ネットワーク配信動画再生アプリケーション２８Ｃ）及び、表示制御プログラム２８Ｄを有している。【００４６】
操作入力部１３は、選択入力部１３Ａとしてキーボード及びマウスを備え、特定入力部１３Ｂとしてリモコン１３Ｂを備えている。【００４７】
リモコン１３Ｂは、専ら動画再生機能に係る操作を行う為の操作部であり、コントローラＢ１及び受信モジュールＢ２からなっている。コントローラＢ１は、光或は電波によりワイヤレスで操作情報を送信する。受信モジュールＢ２は、コンピュータ１０に装着されており、コントローラＢ１から受信した操作情報をバスを介してＣＰＵ１１等に入力する。【００４８】
図３は、本実施形態に係るコントローラＢ１を示す図である。コントローラＢ１は、テレビジョン再生アプリケーション２８Ａの起動や呼出に用いられるテレビボタン３１、ＤＶＤ動画再生アプリケーション２８Ｂの起動や呼出に用いられるＤＶＤボタン３２、ネットワーク配信動画再生アプリケーション２８Ｃの起動や呼出に用いられるネットＴＶボタン３３、動画表示ウィンドウを大きくする（例えば押す度に１０％大きくする、後述の標準サイズ或は第１ウィンドウサイズとする）拡大ボタン３４、動画表示ウィンドウを小さくする（例えば押す度に１０％小さくする、後述の小サイズ或は第２ウィンドウサイズとする）縮小ボタン３５、動画再生音を大きくする昇音ボタン３６、動画再生音を小さくする降音ボタン３７、標準音量（第１値）を登録するボタン（第1ユーザインタフェース）３８、非アクティブ時の音量（第２値）を登録するボタン（第２ユーザインタフェース）３９を有する。ユーザは、これらのボタンを押下することで、各動画再生アプリケーションの起動や、バックグラウンドで起動している各動画再生アプリケーションの呼出、パーソナルコンピュータ１０の節電状態からの復帰、ディスプレイ１２の節電状態からの復帰、動画表示ウィンドウのサイズ変更、動画再生音の音量変更、音量の設定値変更等を行うことが出来る。【００４９】
受信装置１５としては、チューナユニット１８と、ネットワークデバイス１９を備えている。【００５０】
チューナユニット１８は、アンテナ１８Ａ、チューナ１８Ｂ、および復調器１８Ｃを有し、デバイスドライバを実行するＣＰＵ１１によって制御される。チューナユニット１８は、アンテナ１８Ａを用いて放送波を受信し、チューナ１８Ｂを用いてチャンネルを選択する。【００５１】
そして、チューナユニット１８は、復調器１８Ｃを用いてチャンネルの放送波に基づいた復調処理および圧縮動画データストリーム（本実施形態では、ＴＳ信号）の生成処理を行う。生成されたＴＳ信号は、バスを介して出力される。【００５２】
テレビジョン再生アプリケーション２８Ａを実行するＣＰＵ１１は、チューナユニット１８より出力されたＴＳ信号に基づいて、動画を構成する各フレームのピクチャを生成する（デコード処理）。そして、生成されたピクチャに基づく映像信号がディスプレイ１２へ出力され、ディスプレイ１２が映像信号に基づく映像を表示することで、ユーザはテレビジョン放送を視聴することが可能となる。【００５３】
ネットワークデバイス１９は、有線または無線で外部と通信を行うための装置であり、デバイスドライバを実行するＣＰＵ１１によって制御される。ネットワークデバイス１９は、インターネット等のネットワークを介してネットワーク上のサーバから送信されたパケットを受信し、受信したパケットをバスを介して出力する。【００５４】
ネットワーク配信動画再生アプリケーション２８Ｃを実行するＣＰＵ１１は、ネットワークデバイス１９より出力されたパケットに基づいて、動画を構成する各フレームのピクチャを生成する（デコード処理）。そして、生成されたピクチャに基づく映像信号がディスプレイ１２へ出力され、ディスプレイ１２が映像信号に基づく映像を表示することで、ユーザはネットワーク配信動画を視聴することが可能となる。【００５５】
ＤＶＤドライブ２０は、挿入されたＤＶＤに記録された情報を読み出すための装置であり、デバイスドライバを実行するＣＰＵ１１によって制御される。ＤＶＤドライブ２０は、ＤＶＤから読み出された情報をバスを介して出力する。ＤＶＤ動画再生アプリケーション２８Ｂを実行するＣＰＵ１１は、ＤＶＤドライブ２０より出力された情報に基づいて、動画を構成する各フレームのピクチャを生成する（デコード処理）。そして、生成されたピクチャに基づく映像信号がディスプレイ１２へ出力され、ディスプレイ１２が映像信号に基づく映像を表示することで、ユーザはＤＶＤビデオを視聴することが可能となる。【００５６】
ＣＰＵ１１は、記憶部１７に記憶されたオペレーティングシステム（ＯＳ）や、動画再生プログラム、表示制御プログラム等のアプリケーションソフトウェアを適宜メインメモリ１４に読み出して実行し、操作入力部１３やチューナ１８、ネットワークデバイス１９などから入力された情報、及び記憶部１７から読み出した情報を演算処理する。特に本実施形態では、ＣＰＵ１１が、動画再生プログラムを実行することにより動画再生部２１として機能し、表示制御プログラムを実行することにより、前記ウィンドウ状態検出部１４や、表示制御部１６として機能する。【００５７】
図４は、アクティブウィンドウを切り替えた際、本実施形態のコンピュータ１０がプログラムに従って実行する制御方法の説明図である。【００５８】
ユーザが、キーボードやマウスで動画の再生を選択する、或はリモコン１３Ｂのテレビボタン３１，ＤＶＤボタン３２，ネットＴＶボタン３３を選択すると、動画再生プログラム（テレビジョン再生アプリケーション２８Ａ、ＤＶＤ動画再生アプリケーション２８Ｂ、ネットワーク配信動画再生アプリケーション２８Ｃ）が起動し、該動画再生プログラムに従って動画再生部２１が生成した映像信号を表示制御部１６を介して動画表示ウィンドウに表示させる（ステップ１、以下Ｓ１のように略記する）。本実施形態においてウィンドウ状態検出部１４は、この動画再生部２１による映像信号を表示するウィンドウを動画表示ウィンドウとして判別する。また、これに限らずウィンドウ状態検出部１４は、所定の動画データの再生が選択された場合、例えば".mpg"や".avi"等の所定の拡張子が付いたファイル、ストリーミングデータの再生が選択された場合に、このデータを表示しているウィンドウを動画表示ウィンドウと判別しても良い。また、動画に限らず、音出力ウィンドウか否かを判別する場合には、メディアプレイヤーなど所定のアプリケーションプログラムに係るウィンドウか否か、".wav"や".MP3"や等の拡張子が付いたファイルの再生が選択された場合に、このデータを再生しているウィンドウを音出力ウィンドウと判別しても良い。【００５９】
そして、ウィンドウ状態検出部１４は、所定期間毎（本例では１００ｍｓ毎）に動画表示ウィンドウの状態の切り替わりが無いか、即ちポーリングにより動画表示ウィンドウのアクティブへの切り替わり或は非アクティブへの切り替わりを検出する（Ｓ２）。【００６０】
この動画表示ウィンドウの切り替わりが無ければ待機し、動画表示ウィンドウの切り替わりが有った場合、ウィンドウ状態検出部１４は、動画表示ウィンドウがアクティブであるか否かを判定する（Ｓ３）。【００６１】
ここで、動画表示ウィンドウが非アクティブに切り替わったと判定した場合、ウィンドウ状態検出部１４は、更に、この切り替わりが、初めてであるか否かを判定する（Ｓ４）。例えば、この切り替わりが、動画表示プログラムのインストール後初めて或は動画表示プログラムの起動から終了までの間で初めてであるか否かを判定する。【００６２】
もし、初めて動画表示ウィンドウが非アクティブに切り替わったのであれば、音量制御部２３は、現在の動画再生音の音量を標準音量として記憶部１７に記憶させ（Ｓ５）、該動画表示ウィンドウを所定の小音量に変更する（Ｓ６）。ここで所定の小音量とは、予めデフォルト値を設定しておいても良いし、ユーザが操作入力部１３で所望の音量を入力し、記憶部１７に記憶させて（設定して）おくものでも良い。【００６３】
また、ステップ４で動画表示ウィンドウの非アクティブへの切り替わりが初めてでない、即ち第１ウィンドウサイズが設定済み（記録済み）の場合、音量制御部２３は、標準音量の記録を省略して動画再生音を小音量に変更する（Ｓ６）。【００６４】
一方、ステップ３で、動画表示ウィンドウがアクティブに切り替わったと判定された場合、音量制御部２３は、現在の動画再生音の音量を小音量として記憶部１７に記憶させ（Ｓ７）、該動画表示ウィンドウを標準音量に変更する（Ｓ８）。【００６５】
なお、上記フローでは、アクティブウィンドウを切り替えた際に、動画再生音の音量及び設定値を更新しているが、アクティブウィンドウを切り替え無いとき、即ち動画表示ウィンドウがアクティブのまま或は非アクティブのまま該動画再生音の音量及び設定値を更新することもできる。【００６６】
図５は、アクティブウィンドウの切り替えなしに動画再生音の音量及び設定値を更新する処理の説明図である。【００６７】
動画表示プログラムを起動（Ｓ１）した後、音量制御部２３は、所定期間（本例では１００ｍｓ）毎に動画表示ウィンドウがアクティブか否かを判定する（Ｓ３２，Ｓ３３）。【００６８】
そして、音量制御部２３は、音量変更の操作がされたか否かを検出し（Ｓ３４）、操作されていない場合にはステップ３２へ戻り、操作された場合には動画再生音を該操作に応じた音量に変更し（Ｓ３５）、この変更した音量を標準音量として記憶部１７に記憶させる（Ｓ３６）。【００６９】
一方、ステップ３３で、非アクティブと判定した場合、音量制御部２３は、音量変更の操作がされたか否かを検出し（Ｓ３７）、操作されていない場合にはステップ３２へ戻り、操作された場合には動画再生音を該操作に応じた音量に変更し（Ｓ３８）、この変更した音量を小音量として記憶部１７に記憶させる（Ｓ３９）。【００７０】
なお、このように音量の変更を定期的に設定値に反映させる場合、非アクティブ時の動画再生音の音量を変更するために、マウス等の選択入力部１３Ａで動画表示ウィンドウを操作したのでは、動画表示ウィンドウがアクティブに切り替わってしまうので、リモコン等の特定入力部１３Ｂによって変更するのが望ましい。特定入力部１３Ｂの操作であれば、入力対象が特定されており、ウィンドウを選択しないので、操作時にアクティブウィンドウが切り替わることがない。例えばコントローラＢ１の昇音ボタン３６や降音ボタン３７で音量を調節する。また、マウス等の選択入力部１３Ａであっても、動画表示ウィンドウ以外を開いてＯＳのマスタボリュームを変更する等の操作によって動画再生音の音量を変えるのであれば、動画表示ウィンドウが非アクティブの状態で音量を変更できる。【００７１】
このように、本実施形態によれば、ユーザが選択入力部１３でウィンドウを選択する等の操作を行った場合に、電子装置１０がアクティブウィンドウの切り替わりを検出して出力音の音量を自動的に変更する。従って、文書作成やメールチェック等の主たる作業を行いながら動画を視聴する場合に、音量を小さくしたり、小さくした音量を標準音量に戻したりするユーザの手間を軽減できる。【００７２】
〈変形例〉
上記実施形態において、標準音量と小音量とは、標準音量よりも小音量が小さければ、任意の音量に設定して良い。【００７３】
また、図４の例では、動画表示ウィンドウの非アクティブへの切り替わりが初めてであった場合に標準音量を記録したが、これに限らずステップ４を省略して図６に示すように、動画表示ウィンドウが非アクティブに変る度に標準音量を記録するようにしても良い。【００７４】
更に、図６のステップ５及び７を省略して切り替え時に音量の記録を行うのではなく、予め設定した音量に変更する構成としても良い。【００７５】
音量の設定値を予め設定する場合、図５に示した自動更新に限らず、ユーザがユーザインタフェースを操作して任意に設定しても良い。例えば、図７に示すように、ユーザが操作入力部１３Ａで動画表示ウィンドウのボリューム４１Ｇを操作して所望の音量に調整した状態で設定メニュー４１Ｈを開き、標準音量（第１値）の設定（第１ユーザインタフェース）４１Ｊを選択する。これに応じ、電子装置１０は、標準音量の設定４１Ｊが選択されたときの音量を第１値として記憶部１７に記憶する。【００７６】
また、小音量（第２値）についても同様に、ユーザが操作入力部１３Ａで動画表示ウィンドウのボリューム４１Ｇを操作して所望の音量に調整した状態で設定メニュー４１Ｈを開き、小音量（第２値）の設定（第２ユーザインタフェース）４１Ｋを選択する。これに応じ、電子装置１０は、小音量の設定４１Ｋが選択されたときの音量を第２値として記憶部１７に記憶する。【００７７】
図８は、アクティブウィンドウの切り替えに応じて、動画表示ウィンドウを予め設定した第１値或は第２値に変更する制御方法の説明図である。【００７８】
上述のとおり動画表示ウィンドウがアクティブに切り替わったか否かを判定し（Ｓ１〜Ｓ３）、アクティブに切り替わった場合には出力音を第２値から第１値に変更し（Ｓ１０）、非アクティブに切り替わった場合には出力音を第１値から第２値に変更する（Ｓ９）。【００７９】
なお、第２値は、図５や図７で説明した絶対的な値に限らず、動画表示ウィンドウのアクティブ時の音量（第１値）に対して所定の割合で下げた（小さくした）音量となるように相対的な値を設定しても良い。【００８０】
例えば、第２値を１／２や１／３と設定した場合、動画表示ウィンドウが非アクティブに切り替わった際に、第１値の出力音を１／２或は１／３に変更する。【００８１】
同様に、図４の処理方法において、第２値を第１値に対する割合で設定し、ステップ５のように、動画表示ウィンドウが非アクティブに切り替わった際、現在の音量（アクティブ時の音量）を標準音量として記憶する場合、ステップ６では動画表示ウィンドウをアクティブ時の音量から所定割合で下げた（小さくした）音量とする。【００８２】
〈実施形態２〉
次に本発明に係る実施形態２について説明図する。本実施形態２は、前述の実施形態１と比べて音量の変更と共にウィンドウサイズの変更を行う点が異なっている。【００８３】
なお、ハードウェア構成は、前述の実施形態１と同じであるので、同一の要素には同符号を付すなどして再度の説明を省略する。【００８４】
動画を表示させながら他の作業を行う場合、他のウィンドウを選択した際に動画表示ウィンドウが隠れてしまったのでは視聴できなくなるため、動画を表示するウィンドウを画面端へ移動し、隠れない程度にウィンドウサイズを小さくするようにユーザが操作していた。【００８５】
そこで、本実施形態２では、音量の変更と共にウィンドウサイズの変更を自動的に行う。このため表示制御手段１６は、前記アクティブウィンドウの切り替わりが、動画表示ウィンドウから他のウィンドウへの切り替わりである場合に、前記動画表示ウィンドウをアクティブの時のサイズ（標準サイズ、第１ウィンドウサイズとも称す）から小サイズ（第２ウィンドウサイズとも称す）のウィンドウに変更する。また、他のウィンドウから動画表示ウィンドウへの切り替わりである場合に、前記動画表示ウィンドウを元のサイズ（第１ウィンドウサイズ）に変更する。【００８６】
図９は、アクティブウィンドウを切り替えた際、本実施形態２のコンピュータ１０がプログラムに従って実行する制御方法の説明図である。【００８７】
ユーザが、キーボードやマウスで動画の再生を選択する、或はリモコン１３Ｂのテレビボタン３１，ＤＶＤボタン３２，ネットＴＶボタン３３を選択すると、動画再生プログラム（テレビジョン再生アプリケーション２８Ａ、ＤＶＤ動画再生アプリケーション２８Ｂ、ネットワーク配信動画再生アプリケーション２８Ｃ）が起動し、該動画再生プログラムに従って動画再生部２１が生成した映像信号を表示制御部１６を介して動画表示ウィンドウに表示させる（Ｓ１）。【００８８】
そして、ウィンドウ状態検出部１４は、所定期間毎（本例では１００ｍｓ毎）に動画表示ウィンドウの状態の切り替わりが無いか、即ちポーリングにより動画表示ウィンドウのアクティブへの切り替わり或は非アクティブへの切り替わりを検出する（Ｓ２）。【００８９】
この動画表示ウィンドウの切り替わりが無ければ待機し、動画表示ウィンドウの切り替わりが有った場合、ウィンドウ状態検出部１４は、動画表示ウィンドウがアクティブであるか否かを判定する（Ｓ３）。【００９０】
ここで、動画表示ウィンドウが非アクティブに切り替わったと判定した場合、ウィンドウ状態検出部１４は、更に、この切り替わりが、初めてであるか否かを判定する（Ｓ４）。【００９１】
もし、初めて動画表示ウィンドウが非アクティブに切り替わったのであれば、音量制御部２３は、現在の動画再生音の音量を第１値として記憶部１７に記憶させる（Ｓ５）。また、表示制御部１６は、現在の動画表示ウィンドウのサイズを第１ウィンドウサイズとして記憶部１７に記憶させる（Ｓ２１）。【００９２】
ステップ２１の後或はステップ４で初めてでない場合、音量制御部２３は、前記動画再生音の音量を所定の小音量（第２値）に変更する（Ｓ６）。ここで所定の第２値とは、後述のように動画表示ウィンドウが非アクティブのときの音量を予め記憶部１７に記憶しておく。【００９３】
また、表示制御部１６は、該動画表示ウィンドウを所定の第２ウィンドウサイズに変更する（Ｓ２２）。ここで所定の第２ウィンドウサイズとは、予めデフォルト値を設定しておいても良いし、ユーザが操作入力部１３で所望のサイズを入力し、記憶部１７に記憶させて（設定して）おくものでも良い。【００９４】
なお、表示制御部１６は、動画表示ウィンドウを第２ウィンドウサイズに変更する際、ウィンドウのサイズだけを変更するのではなく、動画を縦横比を変えずにウィンドウサイズに合わせて縮小表示する。【００９５】
一方、ステップ３で、動画表示ウィンドウがアクティブに切り替わったと判定された場合、音量制御部２３は、現在の動画再生音を第２値として記憶部１７に記憶させ（Ｓ７）、該動画再生音の音量を標準音量（第１値）に変更する（Ｓ８）。【００９６】
また、表示制御部１６は、記憶部１７を参照し、動画表示ウィンドウを第１ウィンドウサイズに変更する（Ｓ２３）。【００９７】
図１０，図１１は、上記制御方法によって切り替わるウィンドウの状態を説明した図である。【００９８】
図１０，図１１において、４１が動画表示ウィンドウ、４２が他のウィンドウであり、それぞれ上部のタイトルバー４１Ａ，４２Ａがハイライト時（図では斜線を記した時）にアクティブとなっている。【００９９】
ユーザが動画を視聴したい場合、動画表示ウィンドウ４１を選択してアクティブにし、図１０に示すように最前面に表示させる。このときのサイズＷ１×Ｈ１が第１ウィンドウサイズである。【０１００】
そして、ユーザが、動画を見ながら他の作業をしたい場合、他のウィンドウ４２を選択してアクティブウィンドウを切り替え、図１１に示すように該他のウィンドウ４２を最前面に表示させる。【０１０１】
このとき動画表示ウィンドウ４１が非アクティブに切り替わったことをウィンドウ状態検出部１４が検出し、表示制御部１６が動画表示ウィンドウ４１を第２ウィンドウサイズ（Ｗ２×Ｈ２）に切り替える。【０１０２】
また、図１０に示すように、第１値の動画表示ウィンドウ４１が、動画を表示する動画表示欄４１Ｂと、動画に係るタイトルや概説等の情報を表示する情報表示欄４１Ｃとを有している場合、第２ウィンドウサイズに変更する際にこの情報表示欄４１Ｃを省略（非表示）しても良い。【０１０３】
このように本実施形態によれば、ユーザが選択入力部１３でウィンドウを選択する等の操作を行った場合に、電子装置１０がアクティブウィンドウの切り替わりを検出して動画表示ウィンドウのサイズ及び動画再生音の音量を自動的に変更する。従って、文書作成やメールチェック等の主たる作業を行いながら動画を視聴する場合に、動画表示ウィンドウが隠れないように小さくしたり、小さくした動画表示ウィンドウを標準サイズに戻したり、動画再生音を小さくしたりするユーザの手間を軽減できる。
上記実施形態において、第１ウィンドウサイズと第２ウィンドウサイズは、第１ウィンドウサイズよりも第２ウィンドウサイズが小さければ、任意のサイズに設定して良い。【０１０４】
〈変形例〉
また、図９の例では、動画表示ウィンドウの非アクティブへの切り替わりが初めてであった場合に第１ウィンドウサイズを記録したが、これに限らずステップ４を省略して図１２に示すように、動画表示ウィンドウが非アクティブに変る度に第１ウィンドウサイズを記録するようにしても良い。【０１０５】
更に、図７のステップ５を省略して切り替え時に第１ウィンドウサイズの記録を行うのではなく、予め設定したサイズに変更する構成としても良い。【０１０６】
該第１ウィンドウサイズを予め設定する場合、例えば、ユーザが操作入力部１３Ａで動画表示ウィンドウを所望のサイズに調整した状態で設定メニューを開き、第１ウィンドウサイズの設定（不図示）を選択する。これに応じ、電子装置１０は、第１ウィンドウサイズの設定が選択されたときの動画表示ウィンドウのサイズを第１ウィンドウサイズとして記憶部１７に記憶する。【０１０７】
また、第２ウィンドウサイズについても同様に設定できる。例えば、ユーザが、図１３に示す動画表示ウィンドウ４３の左下隅４３Ｂをマウスで右上へドラッグして所望サイズの動画表示ウィンドウ４４に縮め、選択メニュー４４Ｃを開いて第２ウィンドウサイズの設定４４Ｄを選択する。これに応じ、電子装置１０は、第２ウィンドウサイズの設定４４Ｄが選択されたときの動画表示ウィンドウのサイズを第２ウィンドウサイズとして記憶部１７に記憶する。【０１０８】
なお、第２ウィンドウサイズは、図１３で説明した絶対的な値に限らず、動画表示ウィンドウのアクティブ時のサイズ（第１ウィンドウ）に対して所定の割合で下げた（小さくした）サイズとなるように相対的な値を設定しても良い。【０１０９】
例えば、第２ウィンドウサイズを１／２や１／３と設定した場合、動画表示ウィンドウが非アクティブに切り替わった際に、第１ウィンドウサイズの動画表示ウィンドウを１／２或は１／３に変更する。【０１１０】
同様に、図８の処理方法において、第２ウィンドウサイズを第１ウィンドウサイズに対する割合で設定し、ステップ５のように、動画表示ウィンドウが非アクティブに切り替わった際、現在のウィンドウサイズ（アクティブ時のサイズ）を第１ウィンドウサイズとして記憶する場合、ステップ６では動画表示ウィンドウをアクティブ時のサイズから所定割合で下げた（小さくした）サイズとする。【０１１１】
また、図１０に示すように、第１ウィンドウサイズの動画表示ウィンドウ４１が、動画を表示する動画表示欄４１Ｂと、動画に係るタイトルや概説等の情報を表示する情報表示欄４１Ｃとを有している場合、第２ウィンドウサイズに変更する際、図１１に示すようにこの情報表示欄４１Ｃを省略（非表示）しても良い。【０１１２】
また、動画表示ウィンドウを小サイズに変更する場合、ウィンドウの隅や中央など所定の位置を基準に縮小する構成としても良い。例えば図１１では、右上隅を基準位置としてウィンドウを縮小している。この基準位置は、予め設定して記憶部１７に記憶させておく。例えば図１３に示したように、左下隅をドラッグして右上隅を基準位置（移動しない点）として小サイズのウィンドウを設定した場合、ウィンドウサイズと共に基準位置（図では右上隅）も記憶する。【０１１３】
更に、動画表示ウィンドウを小サイズに変更する場合、決まったサイズに限らず、アクティブなウィンドウと重ならないサイズに変更する構成でもよい。例えば、図１４に示すように動画表示ウィンドウ４１が非アクティブ、他のウィンドウ４２がアクティブに切り替わり、動画表示ウィンドウ４１の一部が隠れる場合、隠れない部分（斜線箇所）４１Ｅ内に収まるサイズに変更しても良い。即ち、動画表示欄４１Ｂの縦横比を変えずに縮小した動画表示ウィンドウ４１の幅Ｗ３及び高さＨ３が、隠れない部分４１Ｅの幅Ｗ４及び高さＨ４以下となるようにサイズを決定する。【０１１４】
更にまた、動画表示ウィンドウを小サイズに変更する場合、動画表示ウィンドウを移動して前記第２ウィンドウサイズ或は前記アクティブウィンドウと重ならないサイズに変更しても良い。例えば、図１５に示すように動画表示ウィンドウを所定位置（図１５では右上隅）或は所定方向に移動する。この所定位置及び所定方向は、予め記憶部１７に記憶（設定）させておく。なお、非アクティブへの切り替わり時に、動画表示ウィンドウの移動前の位置も記録しておき、アクティブに切り替わった場合に、この記録した元の位置へ戻す。
【図１】
2009081478.tif 000003
【図２】
2009081478.tif 000004
【図３】
2009081478.tif 000005
【図４】
2009081478.tif 000006
【図５】
2009081478.tif 000007
【図６】
2009081478.tif 000008
【図７】
2009081478.tif 000009
【図８】
2009081478.tif 000010
【図９】
2009081478.tif 000011
【図１０】
2009081478.tif 000012
【図１１】
2009081478.tif 000013
【図１２】
2009081478.tif 000014
【図１３】
2009081478.tif 000015
【図１４】
2009081478.tif 000016
【図１５】
2009081478.tif 000017
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
マルチウィンドウシステムが動作する電子装置において、
アクティブウィンドウの切り替わりを検出する検出手段と、
前記アクティブウィンドウの切り替わりが、音を出力する処理のためのユーザインタフェースである音出力ウィンドウから他のウィンドウへの切り替わりである場合に、前記音出力ウィンドウの処理による出力音の音量設定値を変更する音量制御手段と、
を有することを特徴とする電子装置。
【請求項２】
前記音量制御手段は、前記音出力ウィンドウの処理による出力音の音量設定値をアクティブウィンドウ状態のものから小音量に変更する、ことを特徴とする請求項１記載の電子装置。
【請求項３】
前記音量制御手段は、前記音出力ウィンドウの処理による出力音の音量設定値をアクティブウィンドウ状態時の音量設定値を所定割合で下げた音量設定値に変更する、ことを特徴とする請求項２記載の電子装置。
【請求項４】
前記音量制御手段は、
前記アクティブウィンドウの切り替わりが、前記音出力ウィンドウから他のウィンドウへの切り替わりである場合に、前記音出力ウィンドウの処理による出力音の音量設定値として設定されている値を格納手段に格納し、
前記アクティブウィンドウの切り替わりが、他のウィンドウから前記音出力ウィンドウへの切り替わりである場合に、前記格納手段に格納されている値を前記音出力ウィンドウの処理による出力音の音量設定値に設定する、ことを特徴とする請求項１記載の電子装置。
【請求項５】
アクティブウィンドウ状態用の音量設定値である第１値と、非アクティブウィンドウ状態用の音量設定値である第２値とを格納した格納手段を有し、
前記音量制御手段は、前記アクティブウィンドウの切り替わりによって、前記音出力ウィンドウの処理による出力音の音量設定値を前記第１値から前記第２値に変更する、ことを特徴とする請求項１記載の電子装置。
【請求項６】
前記第１値をユーザが変更可能とする第１ユーザインタフェースを有する、ことを特徴とする請求項５記載の電子装置。
【請求項７】
前記第２値をユーザが変更可能とする第２ユーザインタフェースを有する、ことを特徴とする請求項５または６記載の電子装置。
【請求項８】
前記アクティブウィンドウの切り替わりが、音出力ウィンドウから他のウィンドウへの切り替わりである場合に、前記音出力ウィンドウを現在のサイズから小サイズのウィンドウに変更する表示制御手段を有する、ことを特徴とする請求項１記載の電子装置。
【請求項９】
前記音出力ウィンドウは受信放送を出力するものである、ことを特徴とする請求項１記載の電子装置。
【請求項１０】
マルチウィンドウシステムが動作する電子装置で実行されるプログラムにおいて、該電子装置に、
アクティブウィンドウの切り替わりを検出する検出ステップと、
前記アクティブウィンドウの切り替わりが、音出力ウィンドウから他のウィンドウへの切り替わりである場合に、前記音出力ウィンドウの処理による出力音の音量設定値を変更する音量制御ステップと、
を実行させることを特徴とするプログラム。
【国際調査報告】
2009081478.tif 000018
2009081478.tif 000019